(57)【要約】【課題】            灯具２を枠部３から突出させて、広い配光エリアを得ることを目的とする。また、灯具２の回動範囲を広くして、ユーザーが選択できる配光範囲を広くすることを目的とする。【解決手段】        灯具２と、灯具２に取り付けられるアーム部５と、アーム部５の端部が取り付けられる回転軸部２４、回転軸部２４を中心として灯具２を一方側に回動して、灯具２の底面が突出する突出量αが大きくなるように、灯具２と当接して灯具２の回動を規制する灯具ストッパー部２１、及び、回転軸部２４を中心として灯具２を他方側に回動して、灯具２の底面が突出する突出量βを、突出量αよりも小さくなるように、アーム部５と当接して灯具２の回動を規制する切欠ストッパー部２０を有する枠部３を備えるので、ランプ８の照射ロスを低減させる配光にすること、或いは、枠部３から灯具２の底面が突出する突出量を抑えることを使用用途に応じて選択できる。【選択図】          図２
2010010123.tif 000002
【特許請求の範囲】
【請求項１】
灯具と、
一端が前記灯具に取り付けられるアーム部と、
前記アーム部の他端が取り付けられる回転軸部、前記回転軸部を中心として前記灯具を一方側に回動して、前記灯具の底面の一端側の先端部が突出する第１の突出量が大きくなるように、前記灯具と当接して前記灯具の回動を規制する第１のストッパー部、及び、前記回転軸部を中心として前記灯具を他方側に回動して、前記灯具の底面の他端側の先端部を突出させる第２の突出量を、前記第１の突出量よりも小さくなるように、前記アーム部と当接して前記灯具の回動を規制する第２のストッパー部、を有する枠部と、
を備えることを特徴とする照明器具。
【請求項２】
灯具と、
一端が前記灯具に取り付けられるアーム部と、
前記アーム部の他端が取り付けられる回転軸部、前記回転軸部を中心として前記灯具を一方側に回動して、前記灯具の底面の一方側の先端部が突出する第１の突出量が小さくなるように、前記灯具と当接して前記灯具の回動を規制する第１のストッパー部、及び、前記回転軸部を中心として前記灯具を他方側に回動して、前記灯具の底面の他端側の先端部を突出させる第２の突出量を前記第１の突出量よりも大きくなるように、前記アーム部と当接して前記灯具の回動を規制する第２のストッパー部、を有する枠部と、
を備えることを特徴とする照明器具。
【請求項３】
回転軸部は、灯具を回転する軸線が枠部の底面の中心線上とは異なる位置となるように備えることを特徴とする請求項１または請求項２に記載の照明器具。
【請求項４】
第１のストッパー部は、枠部の高さ方向先端の周枠部に設けられる灯具ストッパー部であることを特徴とする請求項１〜請求項３のいずれかに記載の照明器具。
【請求項５】
回転軸部は、枠部の内壁部に備えることを特徴とする請求項１〜請求項４のいずれかに記載の照明器具。
【請求項６】
第２のストッパー部は、枠部の内壁が切り欠かれて設けられる切欠ストッパー部であることを特徴とする請求項５に記載の照明器具。
【請求項７】
可動ストッパー爪を有する灯具と、
開口部を有し、この開口部から臨むように前記灯具が取り付けられる枠部と、
前記枠部が回転可能に取り付けられるアーム部と、
前記灯具を前記アーム部の一端側に回動可動に取り付ける回転軸部と、
この回転軸部の近傍に設けられ、前記可動ストッパー爪が挿入される可動部と、
前記可動部に設けられ、前記回転軸部が取り付けられる部分を中心として前記灯具を一方側に回動して、前記灯具の底面の一端側の先端部が前記開口部より突出するように、前記灯具の回動を規制する第１のストッパー部と、
前記可動部に設けられ、前記回転軸部が取り付けられる部分を中心として前記灯具を他方側に回動して、前記灯具の底面を前記枠部内に収納するように、前記灯具の回動を規制する第２のストッパー部と、
を備えることを特徴とする照明器具。
【請求項８】
灯具と、
開口部を有し、この開口部から臨むように前記灯具が取り付けられる枠部と、
前記枠部が回転可能に取り付けられるアーム部と、
前記灯具を前記アーム部の一端側に回動可動に取り付ける回転軸部と、
前記アーム部の一端側に設けられる可動ストッパー爪と、
前記灯具に前記回転軸部が取り付けられる部分の近傍に設けられ、前記可動ストッパー爪が挿入される可動部と、
前記可動部に設けられ、前記回転軸部が取り付けられる部分を中心として前記灯具を一方側に回動して、前記灯具の底面の一端側の先端部が前記開口部より突出するように、前記灯具の回動を規制する第１のストッパー部と、
前記可動部に設けられ、前記回転軸部が取り付けられる部分を中心として前記灯具を他方側に回動して、前記灯具の底面を前記枠部内に収納するように、前記灯具の回動を規制する第２のストッパー部と、
を備えることを特徴とする照明器具。
【請求項９】
回転軸部を中心に円弧状に形成され、この円弧状に形成された一端を第１のストッパー部、前記円弧状に形成された他端を第２のストッパー部とすることを特徴とする請求項７または請求項８に記載の照明器具。
【請求項１０】
第１または第２のストッパー部に当接して、灯具の回動が規制されるときの配光角が３０°となることを特徴とする請求項１〜請求項９のいずれかに記載の照明器具。
【請求項１１】
第１または第２のストッパー部に当接して、灯具の回動が規制されるときの配光角が４５°となることを特徴とする請求項１〜請求項１０のいずれかに記載の照明器具。
【発明の詳細な説明】
【技術分野】
【０００１】
本発明は、照明器具の配光角度を変更する技術に関するものである。
【背景技術】
【０００２】
照明器具内に首振り可能に取り付けられる灯具に関する技術がある（例えば、特許文献１参照。）。
【先行技術文献】
【特許文献】
【０００３】
【特許文献１】特開平１１−２７３４４６号公報（段落「００１０」、図１）
【発明の概要】
【発明が解決しようとする課題】
【０００４】
しかしながら、照明器具内で灯具を首振りすると、器具本体によってランプの光を遮光してしまうため、必ずしもランプの照射を効率よく得ることができなかった。
【０００５】
また、灯具の回動方向は一方向であるため、ユーザーが選択できる配光は限られていた。
【０００６】
本発明は、例えば、照明器具の灯具を枠部から突出させて、広い配光エリアを得ることを目的とする。
【０００７】
また、本発明は、例えば、灯具の回動範囲を広くして、ユーザーが選択できる配光範囲を広くすることを目的とする。
【課題を解決するための手段】
【０００８】
本発明に係る照明器具は、灯具と一端が前記灯具に取り付けられるアーム部と、前記アーム部の他端が取り付けられる回転軸部、前記回転軸部を中心として前記灯具を一方側に回動して、前記灯具の底面の一端側の先端部が突出する第１の突出量が大きくなるように、前記灯具と当接して前記灯具の回動を規制する第１のストッパー部、及び、前記回転軸部を中心として前記灯具を他方側に回動して、前記灯具の底面の他端側の先端部を突出させる第２の突出量を、前記第１の突出量よりも小さくなるように、前記アーム部と当接して前記灯具の回動を規制する第２のストッパー部、を有する枠部と、を備えることを特徴とする。
【発明の効果】
【０００９】
本発明によれば、ランプの照射ロスを低減させる配光にすること、或いは、枠部から灯具の底面が突出する突出量を抑えることを使用用途に応じて選択できる。
【図面の簡単な説明】
【００１０】
【図１】実施の形態１における照明器具を示す斜視図である。
【図２】実施の形態１における照明器具を示す斜視図である。
【図３】実施の形態１における照明器具を示す分解斜視図である。
【図４】実施の形態１における照明器具の側面図を示す図である。
【図５】実施の形態１における照明器具のＢ−Ｂ’断面図を示す図である。
【図６】実施の形態１における照明器具の灯具の回動状態を示す側面図である。
【図７】実施の形態１における照明器具の上視図である。
【図８】実施の形態１における枠部のＣ−Ｃ’断面図である。
【図９】実施の形態１における照明器具の灯具の回動状態を示す側面図である。
【図１０】実施の形態１における照明器具の上視図である。
【図１１】実施の形態１における枠部のＤ−Ｄ’断面図である。
【図１２】実施の形態２における照明器具を示す斜視図である。
【図１３】実施の形態２における照明器具を示す下面図である。
【図１４】実施の形態２における照明器具のＡ−Ａ’断面図である。
【図１５】実施の形態２における照明器具を示す分解斜視図である。
【図１６】実施の形態２における照明器具を示す分解部分斜視図である。
【図１７】実施の形態２における照明器具を示す部分断面図である。
【発明を実施するための形態】
【００１１】
実施の形態１．
図１〜図５を用いて、本実施の形態の照明器具の構造について、説明する。
【００１２】
図１は、本実施の形態の照明器具を示す斜視図であり、図２は、図１の照明器具を斜め上方から見たときの照明器具を示す斜視図であり、図３は、図１及び図２の照明器具の分解斜視図であり、図４は、図２の照明器具のＡ方向側面図であり、図５は、図４の照明器具のＢ−Ｂ’断面図である。
【００１３】
照明器具１は、灯具２と、枠部３と、枠部３の外周に取り付けられる取付バネ４と、一端が枠部３の内周に取り付けられるとともに、他端が灯具２に取り付けられるアーム部５を備える。
【００１４】
灯具２は、灯具ボディー部６と、灯具ボディー部６の一端側から延出される灯具反射部７とを備える。
【００１５】
灯具ボディー部６は、略円筒形状をなし、略円筒形状の一端側にランプ８が取り付けられるソケット部９を備える。
【００１６】
ソケット部９は、ランプ８が取り付けられるランプソケット１０と、ソケット取付ネジ１１によって、ランプソケット１０を固定するソケット取付部１２を有する。
【００１７】
灯具反射部７は、略円錐形状をなし、この略円錐形状の頂部側が灯具ボディー部６と接続され、略円錐形状の底面側が開口して、灯具２に内蔵されるランプ８からの光を反射する反射板１３を備えている。また、略円錐形状の頂部近傍から底面に対して水平方向に突出するアーム取付部１４を有する。
【００１８】
アーム部５は、正面形状が略「く」の字形状であり、側面形状が略「Ｌ」字形状となっている。「く」の字形状の一端は、枠部３に取り付けられる回転軸取付穴１５を有し、「く」の字形状の他端、かつ略「Ｌ」字形状の一面は、灯具反射部７のアーム取付部１４に取り付けられる灯具取付穴１６を有する。
【００１９】
枠部３は、ツバ部１７を底面とする略ツバ付き帽子形状をなし、頂部面、底面ともに開口している。
【００２０】
また、枠部３は、略円筒形状となっている部分の内面には、回転軸固定穴１８と、灯具２を回動させたときアーム部５がスライドする切欠部１９及びアーム部５に当接して、灯具２の回動を規制する切欠ストッパー部２０と、灯具２を回動させたとき灯具２が当接して灯具２の回動を規制する灯具ストッパー部２１とを有する。
【００２１】
なお、枠部３の底面側に配置されるツバ部１７は、天井埋込穴の直径よりも大きく、照明器具１を天井埋込穴に取り付ける際に、天井埋込穴の周囲に接触して、後述する取付バネ４の弾性部２２との挟み込みによって、照明器具１を取り付ける。
【００２２】
また、アーム取付部１４は、灯具反射部７を水平方向の断面となる略円の中心点を通過する直線上にそれぞれ配置され、アーム取付ネジ１４ａ及びアーム取付ナット１４ｂによって、灯具取付穴１６と共締めしてアーム部５を固定する。
【００２３】
また、回転軸固定穴１８は、照明器具１の側面に対して、中央部から一方向に寄った非対称となる位置に備えている。
【００２４】
また、アーム部５の回転軸取付穴１５と、枠部３の回転軸固定穴１８は、ネジなどの回転軸２３によって取り付けられ、回転軸部２４を形成する。
【００２５】
取付バネ４は、側面形状がほぼ「レ」の字形状をなし、照明器具１を天井埋込穴に取り付ける際、天井埋込穴に引っ掛かる係止爪２５と、照明器具１を天井埋込穴に取り付けるとき弾性変形するとともに、天井埋込穴に挿入した後、弾性力により、天井埋込穴に照明器具１を保持（取付）させる弾性部２２を備えている。
【００２６】
次に、図６〜図８を用いて、灯具２を一方向に回動させるときの各部の動作について説明する。
【００２７】
図６は、照明器具の灯具を一方向に回動したときの側面図であり、図７は、図６の照明器具の上面から見た上視図であり、図８は、図７の枠部のＣ−Ｃ’断面図である。
【００２８】
灯具２を一方に回動すると、回転軸部２４が中央部から一方向によった位置にあるため、徐々に灯具反射部７の底面（先端）が枠部３よりも突出する。灯具２を回動させていくと、次第に灯具２が灯具ストッパー部２１に接触して、灯具２の回動が規制される。
【００２９】
このように、灯具２が灯具ストッパー部２１に接触したとき、灯具反射部７の底面の先端部が枠部３から突出する突出量αは最大となる。
【００３０】
したがって、灯具２に内蔵されるランプ８の光が、枠部３によって遮光されることがない。なお、このときの照明器具１の配光角は、約４５°となっている。
【００３１】
また、灯具２の回動は、アーム部５と枠部３との摩擦力（回転軸部２４の摩擦力）によって保持されるが、摩擦力よりも大きな振動が加わったときなど、ユーザーが意図しないときに灯具２が回動しても、灯具２は灯具ストッパー部２１に接触して回動が規制されるため、灯具反射部７全体が枠部３よりも突出することがない。
【００３２】
次に、図９〜図１１を用いて、灯具２を他方向に回動させるときの各部の動作について説明する。
【００３３】
図９は、照明器具の灯具を他方向に回動したときの側面図であり、図１０は、図９の照明器具の上面から見た上視図であり、図１１は、図１０の枠部のＤ−Ｄ’断面図である。
【００３４】
次に、灯具２を他方に回動すると、回転軸部２４が中央部から一方向によった位置にあるため、徐々に灯具反射部７の底面（先端）は、枠部３の内部に収納されていく。さらに灯具２を回動させていくと、次第にアーム部５が切欠部１９の中に入っていき、切欠ストッパー部２０に接触して、灯具２の回動が規制される。
【００３５】
このように、アーム部５が切欠ストッパー部２０に接触したとき、灯具反射部７の底面は、枠部３よりも突出する突出量βは、突出量αに比べて小さくなる。
【００３６】
したがって、灯具２に内蔵されるランプ８の光が、枠部３によって遮光されるものの、灯具反射部７が天井面に突出する突出量βが小さくなるので、意匠性が向上する。なお、このときの照明器具１の配光角は、約３０°となっている。
【００３７】
また、アーム部５が「く」の字状となっているため、アーム部５を切欠ストッパー部２０に接触させた状態のとき、回転軸部２４とアーム取付部１４との位置関係が、照明器具１を天井取付穴に取り付けた状態における垂線上または、垂線を越えてＥ方向に灯具２が倒れるようになる。
【００３８】
したがって、アーム部５が切欠ストッパー部２０に当接した状態で、ユーザーが意図しない振動などが加わっても、アーム部５と枠部３との摩擦力と、灯具２の自重によって灯具２が回動するのを抑制できる。特に垂線を超えてＥ方向に灯具２が倒れる状態となるように、切欠ストッパー部２０を設けると、よりユーザーが意図しない振動などによる回動を抑制する効果がある。
【００３９】
このようにして、照明器具１から照射する光を効率よく取りたい場合や、天井面の意匠性を向上させたい場合に、灯具２を回動させることによって、それぞれの用途に対応することができる。
【００４０】
また、枠部３に取り付けられるアーム部５は、枠部３の側面（回転軸部２４が取り付けられる面）から見たとき回転軸部２４を左右非対称となる位置に配置しているので、灯具２を回動させると、灯具２の底面が枠部３から突出する、或いは、灯具２の底面が枠部３に収容されるといった複雑な動きをすることができる。
【００４１】
また、枠部３の内側に回転軸部２４を備えることで、アーム部５の正面の形状が「く」の字形状かつ側面の形状が「Ｌ」字形状とシンプルな形状となる。例えば、枠部３の外側に回転軸部２４を設け、アーム部５を外側に配置させると、枠部３の高さ方向に配置される構造壁などを避けるようにアーム部５の形状を複雑にしなければならず、また大型化してしまう。
【００４２】
それに対し、アーム部５を枠部３の内側に配置させているので、アーム部５が干渉しないように、アーム部５が可動する部分に該当する枠部３の内壁を削るように切欠部１９を設ければよい。
【００４３】
したがって、枠部３の内壁に回転軸部２４及びアーム部５を備えているので、アーム部５の形状も枠部３の形状も複雑にならずに、アーム部５の形状及び枠部３の形状をコンパクトな形状とすることができる。
【００４４】
本実施の形態では、照明器具１を天井埋込穴に取り付けたとき垂直方向に対する角度をそれぞれアーム部５が切欠ストッパー部２０に当接する場合の角度をα、灯具が灯具ストッパー部に当接する場合の角度をβとしたとき、上記角度αと上記角度βの関係を、突出量α＜βとなる場合について説明した。
【００４５】
本実施の形態では、灯具２を回動して、切欠ストッパー部２０に当接する場合の突出量をα、灯具２が灯具ストッパー部２１に当接する場合の突出量をβとしたとき、突出量αと突出量βの関係を、α＜βとなる場合について説明した。
【００４６】
なお、枠部３に備える切欠ストッパー部２０の切り欠きの深さを深くするとともに、灯具ストッパー部２１の高さを高くして、突出量αと突出量βの関係を、α＞βとしてもよい。
【００４７】
また、図示しないが、枠部３を、取付バネ４を外周に備え、天井埋込穴に取り付ける取付枠部２６と、アーム部５を介して灯具２が取り付けられ、取付枠部２６の内周面に回転可能に取り付けられる灯具取付枠部２７に分けることで、天井埋込穴に照明器具１を取り付けた後、灯具取付枠部２７を３６０°回転（または１８０°）させることができる。
【００４８】
このように、枠部３を取付枠部２６と灯具取付枠部２７とで構成することで、ユーザーの使用用途に応じて、灯具取付枠２７を回転させるとともに、灯具２を回動させることができるので、より灯具２の可動範囲が広くなり、照射範囲を任意に変更することができる。
【００４９】
実施の形態２．
本実施の形態は、実施の形態１のストッパー部の構造が異なるものである。
【００５０】
本実施の形態において、実施の形態１と同様の部分は同符号を附し、説明を省略する。
【００５１】
本実施の形態では、説明の便宜上、枠部の下面に対して灯具を水平方向への回転する動作を回転または水平回転といい、枠部の下面に対して灯具を垂直方向へ回転する動作を回動または垂直回転という場合がある。
【００５２】
図１２〜図１６を用いて、本実施の形態の照明器具の構造について、説明する。
【００５３】
図１２は、本実施の形態の照明器具を示す斜視図であり、図１３は、図１２の照明器具を下面から見たときの照明器具を示す下面図であり、図１４は、図１２の照明器具のＡ−Ａ’断面図であり、図１５は、図１２の照明器具の分解斜視図であり、図１６は、図１５の照明器具の分解斜視図の他の角度から見たときの分解部分斜視図である。
【００５４】
照明器具１ａは、灯具２ａと、枠部３ａと、枠部３ａの外周に取り付けられる取付バネ４ａと、枠部３ａの上部に取り付けられる略コの字状のバンド部２８と、このバンドに回転可能に取り付けられ、先端部に灯具２ａが取り付けられるアーム部５ａとを備える。
【００５５】
灯具２ａは、灯具本体２９と、この灯具本体２９の上方かつ両側に取り付けられる連結部３０を備える。さらに、この灯具本体２９の下面側には、ランプ８ａと、ランプ８ａが発光する光を灯具本体２９の下面方向に反射する反射面を有する反射部５９と、この反射部５９を灯具本体２９に固定するカバー部６０とを備える。また、灯具本体２９の上面側には、ランプ８ａが発熱する熱を放熱する放熱板６１を備える。
【００５６】
連結部３０は、一端側に灯具本体２９に取り付けられる取付ネジ挿入部３１、他端側に回転軸固定穴３２と可動ストッパー爪３３を有し、一端側と他端側のほぼ中央付近が直角に折り曲げられて形成されている。この連結部３０は、取付ネジ３４が取付ネジ挿入部３１に挿入され、さらに、取付ネジ３４が灯具本体２９の取付ネジ固定穴３５にネジ留めされて、灯具本体２９に取り付けられている。
【００５７】
回転軸固定穴３２は、バーリング加工されて形成され、後述する回転軸３６がねじ込まれた際に、回転軸３６が外れにくくなっている。
【００５８】
可動ストッパー爪３３は、連結部３０の他端側（回転軸固定穴３２の近傍）から切り起されて形成されている。
【００５９】
枠部３ａは、円筒形状をなし、この円筒形状の上面と下面は開口しており、下面に円筒形状の外方に突出するツバ部を備えている。
【００６０】
取付バネ４ａは、Ｖ字状に折り曲げられて形成され、一端側に、取付ネジ３７が挿入される取付ネジ挿入部３８を有し、他端側に、天井に設けられている埋め込み穴に係合する弾性部２２を有する。この取付バネ４ａは、取付ネジ３７が取付ネジ挿入部３８に挿入され、この取付ネジ３７が枠部３ａの取付ネジ固定穴３９にネジ留めされて、枠部３ａに取り付けられている。
【００６１】
バンド部２８は、「コ」の字状となるように折り曲げられて形成され、中央部に水平回転軸回転止め部４０を有し、先端部分には取付ネジ挿入穴４１を有する。このバンド部２８は、取付ネジ４２が取付ネジ挿入穴４１に挿入され、取付ネジ４２が枠部３ａの取付ネジ固定穴４３にネジ留めされて、枠部３ａに取り付けられている。
【００６２】
水平回転軸回転止め部４０は、円形の一部を切り欠いた直線部分と円弧部分とを有する形状をなしている。
【００６３】
アーム部５ａは、正面が「コ」の字状となるように折り曲げられ、側面が「く」の字状に形成されている。このアーム部５ａは、中央部に水平回転軸挿入部４４を備え、先端部に回転軸取付穴４５を備えている。さらに、アーム部５ａは、水平回転軸挿入部４４の周囲にアーム部５ａから切り起されて形成される水平回転ストッパー爪４６と、回転軸取付穴４５を中心とした円弧状の可動部４７を備えている。
【００６４】
本実施の形態において、回転軸固定穴３２と、回転軸３６と、回転軸取付穴４５を合わせて、回転軸部という場合がある。
【００６５】
可動部４７は、可動ストッパー爪３３が挿入され、可動ストッパー爪３３が接触する第１のストッパー部４８と、第２のストッパー部４９とを備えている。
【００６６】
水平回転軸５０は、ツバ付き帽子形状をなし、水平回転軸挿入部４４の直径よりも大きい固定部５１と、水平回転軸挿入部４４に挿入される回転部５２と、回転部５２よりも先端部側にねじ切りされるネジ部５３および平面状の平面部５４とを備える。
【００６７】
回転止めリング５５は、Ｏリング状に形成され、このＯリングの外周方向に突出する回転ストッパー凸部５６と、Ｏリングの内周方向に三角形状に突出する突起部５７とを備える。
【００６８】
突起部５７は、互いに対向するように回転止めリング５５の内周に２つ備えられ、この突起部５７が水平回転軸５０の平面部５４に接触して、回転止めリング５５の回転を規制する。
【００６９】
水平回転軸５０は、アーム部５ａの水平回転軸挿入部４４、回転止めリング５５の内周、および、水平回転軸回転止め部４０に挿入され、水平回転軸５０のネジ部５３にナット５８が締めこまれ、アーム部５ａと回転止めリング５５が回転可能にバンド部２８に取り付けられる。
【００７０】
水平回転軸５０の挿入方向の断面が、水平回転軸回転止め部４０の形状とほぼ同一の形状となっており、水平回転軸５０と水平回転軸回転止め部４０が接触して、水平回転軸５０が回転するのを防止する。
【００７１】
灯具２ａ（アーム部５ａ）を一方の水平方向に回転させていくと、次第に回転止めリングの回転ストッパー凸部５６が回転ストッパー爪４６に接触し、次に、回転止めリング５５の突起部５７が水平回転軸５０の平面部５４に接触して、灯具２ａの水平方向への回転を規制する。また、灯具２ａ（アーム部５ａ）を他方の水平方向に回転させていくと同様に動作して、灯具２ａの水平方向への回転を規制する。このように、回転止めリング５０によって、灯具２ａ（アーム部５ａ）が水平方向に３６０°以上回転することができる。また、回転止めリングによって、灯具２ａ（アーム部５ａ）の水平方向への回転を規制しているので、灯具２ａが水平方向に必要以上に回転することがなく、灯具２ａに接続されている電線が捩れて切断される恐れがない。
【００７２】
図１７は、図１２に示す照明器具の枠部をＢ−Ｂ’で切断したときの部分断面図であり、灯具の可動状態を示している。図１７（ａ）は、灯具の下面が真下方向に向いているときの部分断面図であり、図１７（ｂ）は、灯具を一方向に回動した状態を示す部分断面図であり、図１７（ｃ）は、図１７（ｂ）とは異なる他方向に回動した状態を示す部分断面図である。
【００７３】
灯具２ａの照射方向を枠部３ａの下面に対して真下に向けるとき、灯具２ａの下面は枠部３ａの下面とほぼ平行となり、可動ストッパー爪３３は、可動部４７のほぼ中央の位置となる。
【００７４】
アーム部５ａが灯具２ａに取り付けられるとき、回転軸取付穴３２同士を結ぶ線は、灯具本体２９（灯具２ａ）の下面の直径に対して、偏心した位置にある。灯具２ａは、回転軸３６を中心にして回動する。そのため、一方向（Ｇ方向）に灯具２ａを回動すると、灯具の回転軸３６とは反対側の下面端部が枠部３ａの下面から下方に突出する。さらに灯具２ａを一方向に回動すると、可動ストッパー爪３３が第１のストッパー４８に接触して、灯具２ａの回動を規制する。
【００７５】
したがって、第１のストッパー４８によって、灯具２ａを枠部３ａの下面から突出させることができるので、ランプ８ａからの光が枠部の内壁に遮光されにくくなり、効率よく照射することができる。
【００７６】
アーム部５ａが灯具２ａに取り付けられるとき、回転軸取付穴３２同士を結ぶ線は、灯具２ａの下面の直径に対して、偏心した位置にある。灯具２ａは、回転軸３６を中心にして回動する。そのため、他方向（Ｈ方向）に灯具２ａを回動すると、灯具２ａの回転軸３６とは反対側の下面端部が枠部３ａの下面から内側方向に収納される。さらに灯具２ａを他方向に回動すると、可動ストッパー爪３３が第２のストッパー４９に接触して、灯具の回動を規制する。
【００７７】
したがって、第２のストッパー４９によって、灯具２ａを枠部３ａの下面から内側方向に収納させることができるので、ランプ８ａからの光の一部が枠部の内壁に遮光され、照射される光効率がやや劣るが、枠部３ａの下面から灯具２ａが突出することがなく、意匠性を良くすることができる。
【００７８】
このように、第１のストッパー４８と第２のストッパー４９を備えるので、光効率を向上させる、または、意匠性を向上させることを、ユーザーが任意に選択できる。
【００７９】
また、水平回転軸５０によって、灯具２ａ（アーム部５ａ）を３６０°回転させることができるので、照明器具１ａを天井に取り付ける際、可動部４７（第１のストッパー４８、第２のストッパー４９）の位置を確認することなく設置することができる。したがって、ユーザーが灯具２ａを回動して垂直方向の角度を設定から、灯具２ａを水平方向に回転させることで、照射するエリアを設定することができる。または、灯具２ａを水平方向に回転させてから、ユーザーが灯具２ａを回動して、照射するエリアを設定することができる。
【００８０】
なお、本実施の形態では、灯具本体２９に連結部３０（回転軸取付穴１５ａ、可動ストッパー爪３３）を取り付ける場合について説明したが、灯具本体２９に回転軸取付穴１５ａと、可動ストッパー爪３３を一体的に形成してもよい。
【００８１】
また、本実施の形態では、各部品を取付ネジ３４、３７、４２によって取り付ける場合について説明したが、各部品を取り付ける方法は、リベット留めや溶接や接着剤などであってもよい。
【００８２】
なお、本実施の形態では、可動ストッパー爪３３を灯具２ａ側に備え、可動部４７をアーム部５ａ側に備える場合について説明したが、可動部４７を灯具２ａ側に備え、可動ストッパー爪３３をアーム部５ａ側に備えてもよく、この場合も同様の効果を得ることができる。
【符号の説明】
【００８３】
１、１ａ  照明器具、２、２ａ  灯具、３、３ａ  枠部、４、４ａ  取付バネ、５、５ａ  アーム部、６  灯具ボディ部、７  灯具反射部、８、８ａ  ランプ、９  ソケット部、１０  ランプソケット、１１  ソケット取付ネジ、１２  ソケット取付部、１３  反射板、１４  アーム取付部、１４ａ  アーム取付ネジ、１４ｂ  アーム取付ナット、１５  回転軸取付穴、１６  灯具取付穴、１７  ツバ部、１８、１８ａ  回転軸固定穴、１９  切欠部、２０  切欠ストッパー部、２１  灯具ストッパー部、２２、２２ａ  弾性部、２３、２３ａ  回転軸、２４、２４ａ  回転軸部、２５  係止爪、２６  取付枠部、２７  灯具取付枠部、２８  バンド部、２９  灯具本体、３０  連結部、３１  取付ネジ挿入部、３２  回転軸固定穴、３３  可動ストッパー爪、３４  取付ネジ、３５  取付ネジ固定穴、３６  回転軸、３７  取付ネジ、３８  取付ネジ挿入部、３９  取付ネジ固定穴、４０  水平回転軸回転止め部、４１  取付ネジ挿入穴、４２  取付ネジ、４３  取付ネジ固定穴、４４  水平回転軸挿入部、４５  回転軸取付穴、４６  水平回転ストッパー爪、４７  可動部、４８  第１のストッパー部、４９  第２のストッパー部、５０  水平回転軸、５１  固定部、５２  回転部、５３  ネジ部、５４  平面部、５５  回転止めリング、５６  回転ストッパー凸部、５７、突起部、５８  ナット、５９  反射部、６０  カバー部、６１  放熱板。
【図１】
2010010123.tif 000003
【図２】
2010010123.tif 000004
【図３】
2010010123.tif 000005
【図４】
2010010123.tif 000006
【図５】
2010010123.tif 000007
【図６】
2010010123.tif 000008
【図７】
2010010123.tif 000009
【図８】
2010010123.tif 000010
【図９】
2010010123.tif 000011
【図１０】
2010010123.tif 000012
【図１１】
2010010123.tif 000013
【図１２】
2010010123.tif 000014
【図１３】
2010010123.tif 000015
【図１４】
2010010123.tif 000016
【図１５】
2010010123.tif 000017
【図１６】
2010010123.tif 000018
【図１７】
2010010123.tif 000019